(57)【要約】【課題】  各字母を一度丈しか使わ無い闘歌句遊戯具から重畳語の使える闘歌句用具への展開が可能な闘歌句盤又は娯楽具を造出し提供する事である。【解決手段】  一連なりと看做せる１７個ないし１９個の文字枠から成る大略直線的文字枠列の三列（辺）でもって，其の端部（角）枠が互いに重畳合致するよう組合せて大略三角形状に構成した文字枠列群を作り，当該文字枠列群二つを互いに上下あるいは天地に反転させて，あるいは随意に回転・移動（辷ら）して，内部に六角形状を構成するように組み合わせた形で，該六角形の各列（辺）枠の任意の二つの枠が重畳合致するよう構成した対文字枠群を，配置又は付置した基盤と、字母表の全文字５１，異文字４８，異音４５文字の文字群（一組）の内，何れか二組から成る文字駒群とで構成され、当該基盤上の文字枠に当該文字駒群の文字駒を排置して、俳句，川柳や短歌，甚句等を競う闘歌句盤または闘歌句用娯楽具で達成する。【選択図】  図１
2005296547.tif 000002
【特許請求の範囲】
【請求項１】
一連なりと看做せる１７個ないし１９個の文字枠から成る大略直線的文字枠列（２ｄ）の三列（辺）でもって，其の端部（角）枠（２ａ）が互いに重畳合致するよう組み合わせて大略三角形状に構成した文字枠列群を作り，当該文字枠列群二つを互いに上下あるいは天地に反転させて，あるいは随意に回転・移動（辷ら）して，内部に六角形状を構成するように組み合わせた形で，該六角形の各列（辺）枠の任意の二つの枠が重畳合致するよう構成した対文字枠群を，配置又は付置した基盤（１）と、五十音索引（字母）表の全文字５１，異文字４８，異音４５文字の文字群（一組）の内，いずれか二組から成る文字駒群とで構成され、当該基盤上の文字枠（２）に当該文字駒群の文字駒（３）を排置して、俳句，川柳や短歌，甚句などを競う事を特徴とする闘歌句盤または闘歌句用娯楽具。
【請求項２】
感嘆符（！），疑問符（？），長音符（ー，〜等の内の一つ）の三個（一組）を、少なくとも一組、又は、一ないし三組を前記文字駒（３）群に加えて構成される請求項１記載の闘歌句盤または闘歌句用娯楽具。
【発明の詳細な説明】
【技術分野】
【０００１】
本発明は、各人の感懐や情景を俳句，川柳，短歌，甚句風表現にして競い合う娯楽用具、もしくは知的能力や語い力、又は表現における柔軟性を培う語学用補助器具の構成形態に関するものである。
【背景技術】
【０００２】
従来の娯楽用具では、地の大きさ，攻陥，役の組み合わせ，取り数，完成・到達までの時間の先後または多少等を、所持知識や技術，熟練度の巧拙で競うものとして、囲碁，将棋，チェス，オセロ，トランプ，花札，ダイス，双六，麻雀などの個人又は幾人かで楽しむ物、此れらをゲームソフト化した物などが在る。
文字を扱う娯楽教育用具としては、カルタ、紙面ではジグソーパズル，ボナンザグラム（ｂｏｎａｎｚａｇｒａｍ），虫食い川柳、語学や知的能力，柔軟性を培う補助具としては、字母の教育具（幼児用仮名文字表記ブロック群），各種学習テキストあるいはコンピュータで活用する教育ソフトウェァシステムなどが有る。だが此れ等は、定型（固定）的な形や（部分的）解答が予め設定されていて、其れの回答や繰り返し学習（記憶，上達）を狙いとするのが殆どであり、難易度に急激、多大な変化を付けないのが普通で、即事または即時的に他からの影響を受けることは避けるのが一般的である。
【０００３】
斯かる現今において、俳句・川柳、短歌や連句・連歌、甚句，施頭歌（混本歌）等を複数人で競う闘歌句具は今日でも見当たらず、此れ迄（従来）通りの、よしんば会集（会聚）したとしても、（句歌題の設定や歌の内容についての繋がり以外）他の人との技術的絡み（制約）の無い、個人的作句・作歌による方法が主体で、完全といっても良いほどに個別の心的・詩的作品競いの軒輊（優劣,高低，軽重）を評議 （衆議判）するのが一般的であると思われる。
【０００４】
其の様な環境や状態を打破すべく、複数人で技術的な絡み（制約）を持たせて、俳句・川柳、短歌や連句・連歌、甚句，施頭歌（混本歌））等を複数人で競う闘歌句具を提供したものに、下記の文献に示す様に、本出願人の出願した幾種類かの闘歌句娯楽具が存る。
【特許文献１】特開平  ０７−２８４５５１  号公報
【特許文献２】特開平  ０８−３１８０２１  号公報
【特許文献３】特開平  ０９−１０３５３５  号公報
【０００５】
しかし、字母を一度しか使用しないので、該闘歌句盤に親しみ深い詩語や言葉を要領良く使いこなすには、其れ成りに高度な（知的，駆け引き的）技を必要とし、初心者や不慣れな人には難しさや扱い辛さが無きにしも有らず、的な難点を有する闘歌句具でもある。
又、特殊な場合（交差部など）を除いて同じ字母や重畳語（例えば、ささめゆき）や重複して文字を使うこと（例えば、やったやさきに）ができない為、言い換えや他の類語に置換する必要が生じるという、欠点と言うよりは寧ろ、一般的な言葉が容易に使え無い不便さとかいらだたしさを克服できない問題があった。
この改善策として、他の方法も開発されている（た）が、闘歌句盤としての構成では無い形の闘歌句娯楽具である。
【発明の開示】
【発明が解決しようとする課題】
【０００６】
本発明で解決しようとする問題点は、人意情景表現其のものを複数の他競技者と技術的係わり合いを持って、相互に即事または即時的に構築し競い合う闘歌句用娯楽具を提供する事、更に、字母を一度丈しか使わ無い闘歌句遊戯具から、重畳語の使える，重複使用の可能な闘歌句用具への展開が可能な闘歌句盤又は娯楽具を造出する事である。
其の構成あるいは使用方法に多様な変化を持たせ、五十音索引（字母）表の全仮名文字や所定の文字記号などを一度丈しか使わない闘歌句遊戯具の難点である重畳語（例えば、ささめゆき）や、歌句文での重複使用（例えば、やったやさきに）を可能として、より柔軟且つ広汎な表現領域の廓大に狙いを置いた娯楽具を提供しようとする点である。
【課題を解決するための手段】
【０００７】
本発明は、字母表の内から選択された字母群を一度丈使用する文字枠列群構成の一対（二個）を組み合わせて得られる対文字枠群構成と、該字母群の任意の一対（二組）を使用可能にする事で、重畳語使用や文字の重複使用を可能にする事を最も主要な特徴とする。
字母表の内から選択された字母群を一度だけ使用する闘歌句具と、該字母群の一対（二組）を使用して任意に使用できる闘歌句具とが使い分けや兼用のできる形を特徴とする。
【発明の効果】
【０００８】
本発明は以上説明したように構成されているので以下に記載する諸効果を有する。
字母表の内から選択された特定の字母群を一度だけ使用する闘歌句具として、独立した二組の競技グループが、仮名文字を介して特定の（無作為的，不随意的な）技術的関わりをもって、楽しむことができる。
夫々に、字母群を選定できるので、字余り・字足らずなども、其の導入が容易である。
【０００９】
字母表の内から選択された特定の字母群を一度だけ使用する闘歌句具の形を二組で一セット（棊布盤）として居るので、ルールの取り決めに依って、重畳語や重複使用が使える形にする事ができ、依り自由豁達に人意や感懐あるいは情景を相互に関与しつつ詩歌句風に表現する事を競い合える、新規で簡便な娯楽を、日常的に身近に提供する事ができる。
此れにより更なる古歌句の一部を継受しつつ現代歌句への変遷を、日常的ゲームとして楽しみ得る範囲も増加する。
【００１０】
明確な競技判定基準等を持たず、相互の協議とか諮議、思議や納得に判定基準を置く闘歌句遊戯の判定や衆議判（歌合せの評議）に必要な人数を、標準競技人数増で確保できる。
変化と柔軟性に富んだ作詩・作歌句には個人的好悪もあり、其れなりに均衡がとれた評定のできることが必要で、標準的人数が増したり異種グループでも同時に楽しめるので輸贏（勝負）をより容易に異なる観点から判定できる事が期待できる。
【００１１】
さらにまた、無作為性，偶然性の事態を己の各自の意指（心懸け）でもって、組み立て解決する文の構成に対する機転、柔軟性，決断性等を、より廓大した形で培える。
【００１２】
加えて、特定の字母群を一度だけ使用する闘歌句の場合より、日常的に表現する歌句作が多くできる機会も増え、其の歌句の中身・出来映えで違和感も少なく、文学芸術としての水準等を高めることもできる。と同時に、字母群を一度だけ使用する闘歌句へのアプローチ（学問研究で、対象にせまりとらえる事，方法）意欲をも湧かし得るであろう。
たとえば、一般のゲームでは、言わば其の場限りであるのが普通だが、闘歌句具では、其の歌句作が秀作，名作として、文化芸術性を帯びるものとなる可能性もあり、競技者の腹笥（腹の中の本箱・学問の素養）を高め示す機会が普段の行為で得られる事ともなる。
【００１３】
特定の字母群を一度だけ使用する闘歌句（娯楽具）を敬遠する人をも引きつける事が出来る。其れにより、俳句，川柳，甚句，短歌などの既存文化の導入や普及がより広範囲に、世界的に廓大される事が期待できる。
【発明を実施するための最良の形態】
【００１４】
一連なりと看做せる１７個ないし１９個の文字枠から成る大略直線的文字枠列（２ｄ）の三列（辺）でもって，其の端部（角）枠（２ａ）が互いに重畳合致するよう組み合わせて大略三角形状に構成した文字枠列群を作り，当該文字枠列群二つを互いに上下あるいは天地に反転させて，あるいは随意に回転・移動（辷ら）して，内部に六角形状を構成するように組み合わせた形で，該六角形の各列（辺）枠の任意の二つの枠が重畳合致するよう構成した対文字枠群を，配置又は付置した基盤（１）と、五十音索引（字母）表の全文字５１，異文字４８，異音４５文字の文字群（一組）の内，いずれか二組から成る文字駒群とで構成され、当該基盤上の文字枠（２）に当該文字駒群の文字駒（３）を排置して、俳句，川柳や短歌，甚句などを競う闘歌句盤または闘歌句用娯楽具でもって、特定の字母群を一度だけ使用する闘歌句娯楽具の持ち味を損なわずに重畳語使用や文字の重複使用を可能にする新規な闘歌句盤（娯楽具）を実現した。
【００１５】
六軸対称で無く、回転・移動さして辷らした形でも機能的には問題なく使えるが、対称である方（形，物）が競技者にとっては最もバランスが良く遣い易いのは勿論である。
【実施例１】
【００１６】
図１で示される闘歌句盤でもって、Ａ，Ｃ，Ｅの三競技者で闘句を行う場合は、Ｕ３枠列群の配列と５１個ないし４５個の字母文字駒の一組を用いてそれぞれの俳句が創れる。（端部角枠丈を空枠としておくと１７×３＝５１、交差枠外の枠だけを空枠としておくと１５×３＝４５、感嘆符（！），疑問符（？），長音符（〜）を使用すれば空枠にしなくても良い場合もある。字余りと字足らず等については競技者の取り決めにより設定出来る。（同様にして、Ｄ３枠列群を使えば競技者Ｂ，Ｄ，Ｆで行える。）
【００１７】
六人で行う闘句の場合は、全部の枠列（Ｕ３枠群＋Ｄ３枠群）を用いておこなう。
使用文字駒の選択数は、Ｎ；一列枠の使用枠数、ｎ；重畳枠数とすると下式となる。
使用文字駒の選択数＝｛（Ｎ−ｎ）×６＋ｎ×３｝／２
全部使用時                ｛（１９−４）×６＋４×３｝／２＝５１（全字母）
端部角枠・不使用時        ｛（１７−２）×６＋２×３｝／２＝４８（異文字）
交差枠外の二枠・不使用時  ｛（１７−４）×６＋４×３｝／２＝４５（異音文字）
（感嘆符（！），疑問符（？），長音符（〜）を使用し空枠にしない方法も取り得る。）
此の場合、二グループ（３人×２組）で実行する時は、基本的には三人のみで行う場合と同じであるが、他グループからの（無作為、不随意な）３文字駒を借用する形となるので、作句には意外な展開も期待できる。重畳語の使用は交差枠付近に限られ、文字の重複使用は前記の他グループからの（無作為、不随意な）３文字駒丈に限定される事となる。基本的には別々に実行するので、文字駒群に（たとえば表裏で別の）色分けをしておけば、文字群の区別や判別が容易で、回収時に便利であるのは言う迄も無い。
【００１８】
グループ分け為ずに、６人で順次に闘句を行う場合は、選定された二組の文字駒群を纏めて、其の内の任意の駒を自由に排置して使える様なルール設定にして行うと重畳語や文字の重複使用も其の幅が広がるというものである。此の形が一般的な個別作句に依り近付いたものとなろう。
【００１９】
闘歌（短歌の競い）の時の例を競技者Ａの場合で示せば、（ａ’）＋（ａ）＋（ａ”）＋（ｂ），（ｆ）とか（ｃ），（ｅ）の（５，７，５＋７，７）で構成する様に取決めて置く事により楽しめる。
同様に闘甚句（甚句競い）の時を競技者Ａの場合で示せば、（ａ’）＋（ｄ）＋（ａ”）＋（ａ）の（７，７，７，５）で構成したりすれば甚句として楽しむことができる。課題を同じくすれば、甚句唄として纏める楽しみもできるであろう。
径路としては闘歌，闘甚句とも、他の径路（句領域）を使っても何ら差し支えは無い。
【００２０】
図２に、丸平板（ａ，ｂ）と三角錐（ｃ，ｄ）の場合の文字駒（３）を示す。四角や六角錐あるいは円錐でも、それぞれの競技者から見て文字が認識できる形をとった他の任意の形状でも良い。一文字駒の文字の数も制限は無い。磁石でくっつく着磁文字駒（＝マグネット駒＋盤構成）にして動きにくい形などをとっても良い。あるいは球形でも良い。
【産業上の利用可能性】
【００２１】
本や帳面（ノート）形式、食卓台や炬燵板（ダイニングテーブル），庭園卓（ガーデンセット）、風呂敷や紙バッグなどの包装デザインとして取り込んだり、球形，半球形にして運動兼用闘歌句具としても使え、何時でも何処でも闘歌句が出来る盤としたりすることも可能である。また装飾品，占い用途などにも幅広い適用が期待できる。
【図面の簡単な説明】
【００２２】
【図１】（ａ）文字枠列の構成を示した六角形闘歌句盤面を示した平面図（上面図）である。    （ｂ）文字枠列の構成を示した六角形闘歌句盤の側面図である。
【図２】（ａ）平板形の文字駒の平面図（上面図）である。    （ｂ）平板形の文字駒の文字駒の斜視図である。    （ｃ）角錐形の文字駒の平面図（上面図）である。    （ｄ）角錐形の文字駒の文字駒の側面図である。
【符号の説明】
【００２３】
１    基盤    
１ａ  駒置場
１ｂ  盤脚
２    文字枠
２ａ  端部角枠
２ｂ  交差枠
２ｃ  交差枠外の枠
２ｄ  文字枠列
３    文字駒
３ａ  仮名文字
Ｄ３，Ｕ３                      三角形の枠列群
ＩＦ３                          別構成の枠列群
（ａ’），（ａ），（ａ” ）           上，中，下の句領域
（ｂ），（ｃ），（ｄ），（ｅ），（ｆ）   中の句領域
Ａ，Ｂ，Ｃ，Ｄ，Ｅ，Ｆ          競技者
【図１】
2005296547.tif 000003
【図２】
2005296547.tif 000004